(57)【特許請求の範囲】
【請求項１】
コイルアッセンブリと、該コイルアッセンブリの上に組付けられた接点室アッセンブリとを有し、
前記接点室アッセンブリは、内部に接点室を形成する接点室カバーと、前記接点室に固定して配置される固定接点と、該固定接点に対して上下動する可動接点と、該可動接点を支持する可動接点支持体とを有し、
前記コイルアッセンブリは、底付き円筒形状のヨークと、該ヨーク内に設置されるボビンおよび該ボビンの外周に巻かれたコイルと、前記ボビンの内周に配置された固定コアと、該固定コアに対して上下動可能に配置されたプランジャと、該プランジャの上下動を前記可動接点支持体に伝えるプランジャロッドと、ほぼ円形部を含む、コイルアッセンブリを固定するブラケットと、前記ほぼ円形部から半径方向に突出する、前記コイルに低電圧直流電流を流す低電圧給電用のメス側コネクタと、を有する電磁継電器であって、
前記コネクタを挿抜方向を上下方向に向けて前記コイルアッセンブリの前記ブラケットと一体に形成し、
前記コネクタは上方に開放し、側壁と、底面と、該底面から立ち上がる２本のピンと、該２本のピンの間のコネクタの底壁を上下方向に貫通する排水用の孔を有している電磁継電器。
【請求項２】
前記コネクタは、両側の２本のピンと、該２本のピンの間の前記孔を有し、該孔は前記２本のピンを結ぶ方向の距離よりもそれと直交する方向の距離を増大された長円形状またはトラック状の断面を有し、前記孔の長円形状またはトラック状の断面の長軸の長さは該長軸と平行方向の前記ピンの断面の長さより大である請求項１記載の電磁継電器。
【発明の詳細な説明】
【０００１】
【発明の属する技術分野】
本発明は、電磁継電器に関し、とくに電磁継電器のコイルへの給電用コネクタの構造に関する。
【０００２】
【従来の技術】
実開平５−９０７８２号公報は、電磁リレーのコネクタの防水構造を開示している。その電磁リレーでは、２ピンのメス側コネクタがスイッチカバーに一体成形されており、メス側コネクタの底面に防水ゴムを設けてピン部の防水性を確保している。
【０００３】
【発明が解決しようとする課題】
しかし、上記従来電磁リレーでは、コネクタの挿抜方向を上下方向に向けて使用した場合、ワイヤハーネス等に結露した水がオス側コネクタからメス側コネクタ内にいったん侵入するとメス側コネクタ内に溜まって抜けず、オス側コネクタが弛んだ時に防水ゴム部を通り抜けてピン間の短絡を生じさせるおそれがある。また、メス側コネクタの底面に沿って２ピン間のマイグレーション（ピンからの銅の析出等によるコネクタの底面に沿っての電気的短絡）が生じるおそれがある。
本発明の目的は、コネクタ部の、排水性を良好にするとともに、マイグレーション対策を施した電磁継電器を提供することにある。
【０００４】
【課題を解決するための手段】
上記目的を達成する本発明はつぎの通りである。
（１）  コイルアッセンブリと、該コイルアッセンブリの上に組付けられた接点室アッセンブリとを有し、
前記接点室アッセンブリは、内部に接点室を形成する接点室カバーと、前記接点室に固定して配置される固定接点と、該固定接点に対して上下動する可動接点と、該可動接点を支持する可動接点支持体とを有し、
前記コイルアッセンブリは、底付き円筒形状のヨークと、該ヨーク内に設置されるボビンおよび該ボビンの外周に巻かれたコイルと、前記ボビンの内周に配置された固定コアと、該固定コアに対して上下動可能に配置されたプランジャと、該プランジャの上下動を前記可動接点支持体に伝えるプランジャロッドと、ほぼ円形部を含む、コイルアッセンブリを固定するブラケットと、前記ほぼ円形部から半径方向に突出する、前記コイルに低電圧直流電流を流す低電圧給電用のメス側コネクタと、を有する電磁継電器であって、
前記コネクタを挿抜方向を上下方向に向けて前記コイルアッセンブリの前記ブラケットと一体に形成し、
前記コネクタは上方に開放し、側壁と、底面と、該底面から立ち上がる２本のピンと、該２本のピンの間のコネクタの底壁を上下方向に貫通する排水用の孔を有している電磁継電器。
（２）  前記コネクタは、両側の２本のピンと、該２本のピンの間の前記孔を有し、該孔は前記２本のピンを結ぶ方向の距離よりもそれと直交する方向の距離を増大された長円形状またはトラック状の断面を有し、前記孔の長円形状またはトラック状の断面の長軸の長さは該長軸と平行方向の前記ピンの断面の長さより大である（１）記載の電磁継電器。
【０００５】
上記（１）の電磁継電器では、電磁継電器のコイルへの給電用のメス側コネクタを挿抜方向を上下方向に向けてコイルアッセンブリとその上に配置される接点室アッセンブリを有する電磁継電器の前記コイルアッセンブリのブラケットと一体に形成し、コネクタは上方に開放し、側壁と、底面と、該底面から立ち上がる２本のピンと、該２本のピンの間のコネクタの底壁を上下方向に貫通する排水用の孔を有しているので、コネクタに水が入っても孔を通して抜けて溜まることはなく、排水性がよい。また、ピンとピンとの間のコネクタ底面が、孔によって遮断されているので、マイグレーションが生じにくい。これらによって、シール部材を設けることなく、防水性が達成されている。さらに、コネクタをブラケットに一体化したので、部品点数の削減、コストダウンがはかられている。また、コネクタの挿抜方向が上下方向に向けられているので、上からのオス側コネクタの挿抜が容易である。
上記（２）の電磁継電器では、コネクタは、両側の２ピンと、２本のピンの間の孔を有し、孔は２本ピンを結ぶ方向の距離よりもそれと直交する方向の距離を増大された長円形状またはトラック状の断面を有し、孔の長円形状またはトラック状の断面の長軸の長さは該長軸と平行方向の前記ピンの断面の長さより大であるので、ピンとピンを孔で容易に遮断でき、マイグレーション対策をはかることができる。
【０００６】
【発明の実施の形態】
以下に、本発明の電磁継電器の実施例を図１〜図４を参照して、説明する。
まず、本発明実施例の電磁継電器１０の一般的構造とその作用を説明する。
本発明実施例の電磁継電器１０は、コイルアッセンブリ３０上に接点室アッセンブリ１１を組付けたものからなる。この電磁継電器１０は両切りのプランジャ型電磁継電器からなる。この電磁継電器１０は、たとえばハイブリッド自動車のバッテリーとインバータとを接続する回路に設けられるが、使用先はそれに限るものではない。
【０００７】
接点室アッセンブリ１１は、コイルアッセンブリ３０上に配置されるパッキン１２と、パッキン１２の上に配置される樹脂製のポール１３と、上壁と四側の側壁を有しポール１３上に配置され樹脂製のポール１３と協働して内部に接点室１５を形成する樹脂製の接点室カバー１４と、接点室１５に固定して配置される固定接点１６と、固定接点１６に対して上下動して電気の接続をオンオフする可動接点１７と、可動接点１７を支持しコイルアッセンブリ３０のプランジャによって上下動され導電性材からなる可動接点支持体１８と、可動接点支持体１８を常時下方に付勢するスプリング１９と、コ字状断面を有しコ字の両脚で接点室カバー１４を上下から挟み下の脚が接点室１５内に入って固定接点１６と接続する導電性材からなるコンタクト２０と、コンタクト２０の上の脚と接触して上方に延びる導電性材からなる端子ボルト２１と、を有する。
【０００８】
固定接点１６および可動接点１７は、それぞれ、左右一対設けられており、両切りの電磁継電器を構成している。コンタクト２０、端子ボルト２１も、左右一対設けられている。固定接点１６と可動接点１７端子が接触した時には、高電圧電流（たとえば、２５０Ｖ）が一方の端子ボルト２１から一方のコンタクト２０を介して一方の固定接点１６に流れ、一方の固定接点１６から一方の可動接点１７に流れ、一方の可動接点１７から可動接点支持体１８を通って他方の可動接点１７に流れ、他方の可動接点１７から他方の固定接点１６に流れ、他方の固定接点１６から他方のコンタクト２０を介して他方の端子ボルト２１に流れる。
また、固定接点１６と可動接点１７端子が接触が切れた時には、左右の接点が両切りされ、一対の端子ボルト２１間の電流が遮断される。
【０００９】
コイルアッセンブリ３０は、底付き円筒形状のヨーク３１と、ヨーク３１内に設置されるボビン３２と、ボビン３２の外周に巻かれたコイル３３と、ボビン３２の内周に配置された固定コア３４と、固定コア３４の上方に上下動可能に配置されたプランジャ３５と、プランジャ３５の上下動を可動接点支持体１８に伝えるプランジャロッド３６と、コイル通電時にヨーク３１、固定コア３４、プランジャ３５と協同して磁気回路を形成するプレート３７と、固定コア３４とプランジャ３５との間に配置されてプランジャ３５を常時上方に付勢するリターンスプリング３８と、コイル３３に低電圧直流電流（たとえば、１２Ｖ）を流す低電圧給電用コネクタ３９と、コイルアッセンブリ３０を床等に固定するブラケット４０と、を有する。これによって、プランジャ型の電磁継電器を構成している。
【００１０】
コイル３３に低電圧直流電流が流れると、ヨーク３１、プレート３７、固定コア３４、プランジャ３５に磁気回路が形成されて、リターンスプリング３８の圧縮を伴って、プランジャ３５が固定コア３４に磁気的に吸着され、可動接点支持体１８が下方に移動して可動接点１７が固定接点１６に当たり、端子ボルト２１間に高電圧電流が流れる。
コイル３３の低電圧直流電流が切られると、磁気回路が消え、リターンスプリング３８の付勢によって可動接点支持体１８が上方に移動し、可動接点１７が固定接点１６から離れ、端子ボルト２１間の高電圧電流が遮断される。
【００１１】
つぎに、本発明に特有な、コイル３３への給電用コネクタ３９の構造とその作用を説明する。
コネクタ３９は、メス側コネクタである。コネクタ３９はコイルアッセンブリ３０のブラケット４０に一体形成されており、樹脂成形品である。ブラケット４０は、ほぼ円形部と、ほぼ円形部から径方向に互いに反対側に突出するように延びスタッドボルトの通るボルト孔４７を有するフランジ部と、からなり、コネクタ３９はフランジ部から外れた位置でブラケット４０のほぼ円形部から半径方向に突出している。
【００１２】
コネクタ３９は、上方に開放し、側壁４１と、底面４２を有し、底面４２から立ち上がる２本のピン４３を有する。コネクタ３９にはオス側コネクタが上方から挿抜され、その挿抜方向は上下方向である。オス側コネクタのピン孔にメス側コネクタのピン４３が入る。
コネクタ３９のピン４３とピン４３との間には、コネクタ３９の底壁を上下方向に貫通する孔４４が設けられている。孔４４はピン４３とピン４３とを結ぶ方向の距離よりもそれと直交する方向の距離を増大された長円形状またはトラック状の断面を有する。孔４４の長円形状またはトラック状の断面の長軸の長さは、該長軸と平行方向のピン４３の断面長さより大である。したがって、ピン４３とピン４３とを結ぶ直線上においてコネクタ３９の底面４２は孔４４によって遮断されており、ピン４３とピン４３とを結ぶ、底面４２に沿った沿面距離は、孔４４を迂回するため「く」の字状となり、ピン４３とピン４３とを直線で結ぶ距離に比べて増大されている。
コネクタ３９は３ピンサイズであり、両側端の２ピンをピン４３として使用し、中央のピン位置に孔４４を設けてある。中央のピンは無い。
【００１３】
ピン４３に接続した導線４５はコネクタ３９の裏面からブラケット４０の裏面中央部に延び、そこからエナメル線４６でコイルアッセンブリ３０内のコイル３３に接続している。導線４５およびエナメル線４６はコイルアッセンブリ３０の下面側から図示略の下蓋で覆われている。コイルアッセンブリ３０はブラケット４０のボルト孔４７にスタッドボルト（図示略）を通してスタッドボルトにナット（図示略）をねじ込むことにより、電磁継電器配設部の床に固定される。
【００１４】
作用については、コネクタ３９のピン４３とピン４３との間に上下方向に貫通する孔４４を設けたので、ワイヤハーネスの結露等の水がオス側コネクタをつたってメス側コネクタ３９に入っても底面４２の孔４４を通して抜けるので、コネクタ３９内に溜まることはなく、排水性が極めて良好である。そのため、コネクタの底面にシール材を設けることなくそのまま使用され、シール材を設けていた従来に比べて部品点数が少ない。
また、ピン４３とピン４３との間のコネクタ底面４２が、孔４４によって遮断されているので、ピン４３とピン４３との間のコネクタ底面４２に沿った沿面距離が大となり、マイグレーション（ピン４３からの銅の析出による底面４２に沿った電気的短絡）が生じにくい。
【００１５】
さらに、コネクタ３９をブラケット４０に一体化したので、部品点数の削減、それによる組み付け性向上およびコストダウンがはかられている。また、コネクタ３９の挿抜方向が上下方向に向けられているので、上方からオス側コネクタをメス側コネクタ３９に容易に挿抜することができる。
また、コネクタ３９を３ピンサイズとし、両側端の２ピンをピン４３として使用し、中央のピン位置に孔４４を設けたので、ピン４３とピン４３を孔４４で容易に遮断でき、マイグレーション対策をはかることができる。
【００１６】
【発明の効果】
請求項１の電磁継電器によれば、電磁継電器のコイルへの給電用のメス側コネクタを挿抜方向を上下方向に向けてコイルアッセンブリとその上に配置される接点室アッセンブリを有する電磁継電器の前記コイルアッセンブリのブラケットと一体に形成し、コネクタは上方に開放し、側壁と、底面と、該底面から立ち上がる２本のピンと、該２本のピンの間のコネクタの底壁を上下方向に貫通する排水用の孔を有しているので、コネクタに水が入っても孔を通して抜けて溜まることはなく、排水性がよい。また、ピンとピンとの間のコネクタ底面が、孔によって遮断されているので、マイグレーションが生じにくい。これらによって、シール部材を設けることなく、防水性が達成されている。さらに、コネクタをブラケットに一体化したので、部品点数の削減、コストダウンがはかられている。また、コネクタの挿抜方向が上下方向に向けられているので、上からのオス側コネクタの挿抜が容易である。
請求項２の電磁継電器によれば、コネクタは、両側の２ピンと、２本のピンの間の孔を有し、孔は２本ピンを結ぶ方向の距離よりもそれと直交する方向の距離を増大された長円形状またはトラック状の断面を有し、孔の長円形状またはトラック状の断面の長軸の長さは該長軸と平行方向の前記ピンの断面の長さより大であるので、ピンとピンを孔で容易に遮断でき、マイグレーション対策をはかることができる。
【図面の簡単な説明】
【図１】本発明実施例の電磁継電器の半断面図（図３のＡ−Ａ断面図）である。
【図２】本発明実施例の電磁継電器の半側面図である。
【図３】本発明実施例の電磁継電器の平面図である。
【図４】本発明実施例の電磁継電器の底面図である。
【符号の説明】
１０  電磁継電器
１１  接点室アッセンブリ
１２  パッキン
１３  ポール
１４  接点室カバー
１５  接点室
１６  固定接点
１７  可動接点
１８  可動接点支持体
１９  スプリング
２０  コンタクト
２１  端子ボルト
３０  コイルアッセンブリ
３１  ヨーク
３２  ボビン
３３  コイル
３４  固定コア
３５  プランジャ
３６  プランジャロッド
３７  プレート
３８  リターンスプリング
３９  低電圧給電用コネクタ
４０  ブラケット
４１  側壁
４２  底面
４３  ピン
４４  孔
４５  導線
４６  エナメル線
４７  ボルト孔
【図１】
0003818056.tif 000002
【図２】
0003818056.tif 000003
【図３】
0003818056.tif 000004
【図４】
0003818056.tif 000005